(57)【要約】【課題】滑らかで安定したスライド開閉が実現できる携帯ケースを提案する。【解決手段】携帯ケースを、開口端につながる内部通路1cを有しケースの外観形状を形作る外容器1と、この外容器1の内部通路1cにスライド可能に配置され、その内側に内容物を収納する箱状の区画凹所Ｍを形成する内容器3にて構成する。そして、前記内容器3を、底壁3aと、この底壁3aに一体につながる側壁3b、3c、3d、3eと、この底壁3aに区画凹所Mを挟んで対向する遮蔽板4とからなるものとし、前記遮蔽板4に、区画凹所M内の内容物を取り出す排出口5と、外容器1の外表面でその面に沿う外力の付加にて内容器3とともにスライドさせる操作部6を設け、前記遮蔽板4の上面と操作部6の下端とを結ぶ連結部6aを、外容器1に設けられた溝穴2にスライド可能に嵌合させる。【選択図】図１
2007314194.tif 000002
【特許請求の範囲】
【請求項１】
開口端につながる内部通路を有しケースの外観形状を形作る外容器と、この外容器の内部通路にスライド可能に配置され、その内側に内容物を収納する箱状の区画凹所を形成する内容器とを備え、
前記内容器は、底壁と、この底壁に一体につながる側壁と、この底壁に区画凹所を挟んで対向する遮蔽板とからなり、
前記遮蔽板は区画凹所内の内容物を取り出す排出口と、外容器の外表面でその面に沿う外力の付加にて内容器とともにスライドさせる操作部を有し、
前記遮蔽板の上面と操作部の下端とを結ぶ連結部が外容器に設けられた溝穴にスライド可能に嵌合してなる、ことを特徴とする容器。
【請求項２】
前記連結部が前記外容器に設けられた溝穴の両側壁に接する2つの側面を有するとともに溝穴の各側壁が各側面に接する長さが略同一で、スライド方向に対して線対称の位置に配置されている請求項1に記載の容器。
【請求項３】
前記溝穴は直線状に延びており、
前記連結部は該溝穴を埋める形状の細長い直方体状の突起である、請求項2に記載の容器。
【請求項４】
前記連結部及び前記操作部は、遮蔽板と一体に形成されたものである、請求項1〜3の何れかに記載の容器。
【請求項５】
前記遮蔽板は、前記側壁の少なくとも1つに、ヒンジを介して折り返し自在に連結され、該区画凹所への折り返し姿勢を維持したまま内容器とともにスライドさせて外容器に出し入れ可能に構成されたものである、請求項1〜4の何れかに記載の容器。
【発明の詳細な説明】
【技術分野】
【０００１】
本発明は、タブレット状の薬や栄養補助食品等を持ち歩くのに都合がよい携帯ケースに関するものであり、該携帯ケースの滑らかで安定したスライド開閉を実現しようとするところにある。
【背景技術】
【０００２】
薬や栄養補助食品等の錠剤を入れる携帯用の容器としては、容器の外皮をなす外容器の中に内容物を収納する箱状の内容器を組み入れ、この内容器をスライドさせてそれに形成された排出口を外容器の外側に露出させることによって内容物を取り出す仕組みのものが一般的であって、近年では、本体容器の内部に内容物を受け入れる受け入れ口と、受け入れ機構とを別途に設けることを不要にして、より多くの内容物を計量して取り出すようにしたものも提案されている〈例えば、特許文献１参照〉。
【特許文献１】特開2004-217310号公報
【０００３】
ところで、従来のこの種の容器は、滑らかで安定したスライド開閉が行えないところに問題を残していた。
【発明の開示】
【発明が解決しようとする課題】
【０００４】
本発明の課題は、滑らかで安定したスライド開閉ができる新規な携帯ケースを提案するところにある。
【課題を解決するための手段】
【０００５】
本発明は、開口端につながる内部通路を有しケースの外観形状を形作る外容器と、この外容器の内部通路にスライド可能に配置され、その内側に内容物を収納する箱状の区画凹所を形成する内容器とを備え、
前記内容器は、底壁と、この底壁に一体につながる側壁と、この底壁に区画凹所を挟んで対向する遮蔽板とからなり、
前記遮蔽板は区画凹所内の内容物を取り出す排出口と、外容器の外表面でその面に沿う外力の付加にて内容器とともにスライドさせる操作部を有し、
前記遮蔽板の上面と操作部の下端とを結ぶ連結部が外容器に設けられた溝穴にスライド可能に嵌合してなる、ことを特徴とする容器である。
【０００６】
上記の構成になる容器においては、前記連結部が前記外容器に設けられた溝穴の両側壁に接する2つの側面を有するとともに溝穴の各側壁が各側面に接する長さが略同一で、スライド方向に対して線対称の位置に配置されているものが好ましい。
【０００７】
また、前記溝穴は直線状に延びており、前記連結部は該溝穴を埋める形状の細長い直方体状の突起とするのが好ましく、また、前記連結部及び前記操作部は、遮蔽板と一体に形成されたものがとくに有利に適合する。
【０００８】
前記遮蔽板は、前記側壁の少なくとも1つに、ヒンジを介して折り返し自在に連結され、該区画凹所への折り返し姿勢を維持したまま内容器とともにスライドさせて外容器に出し入れ可能に構成することができる。
【発明の効果】
【０００９】
操作部を外容器の溝穴にスライド可能に嵌合させた連結部に接続させて、外容器を該操作部と内容器とで挟むようにしたので、滑らかで安定したスライドが可能となる。  
【発明を実施するための最良の形態】
【００１０】
以下、図面を用いて本発明をより具体的に説明する。
図１(a)（b）は本発明に従う容器の一例である携帯ケースの実施の形態を示した外観斜視図であり、図１(a)は内容物の取り出し可能状態を示したものであり、図１（b）は内容物の取り出し不能状態を示したものである。
【００１１】
図における番号1は携帯ケースの外観形状を形作る外容器である。この外容器1は図２にそれのみを単独で示すように、開口端である先端開口1a、後端開口１bと、この開口端につながる内部通路1cと、一端が開放され、他端が行き止まりになっているスリット2を有している。
【００１２】
また、3は外容器1の内部通路1c内にスライド可能に配置される内容器である。この内容器3は、図３に示すように、平面視で長方形状になっており、底壁3aと、この底壁3aに一体的につながる長辺側の側壁3b、3cと、短辺側の側壁3d、3eからなっており、底壁3a、側壁3b、3c、3d、3eによって取り囲まれた内側には内容物を収納する箱状の区画凹所Ｍが形成されている。
【００１３】
4は内容器3の短辺側の側壁3dの上縁にヒンジhを介して折り返し自在に連結（一体成形）する遮蔽板である。この遮蔽板4には、タブレット状の内容物を取り出すための排出口5と、外容器1の外表面でその面に沿う外力の付加により内容器3とともにスライドさせるボタン（操作部）6が設けられている。このボタン6の細長凸部6aの両側面6b、6cはスリット2の側壁面においてスライドする方向に対し左右対称の位置で、略同じ長さにわたって接している。また、細長凸部6aはボタン6の中心からずれた位置においてボタンの裏面と接合している。ここに、上記遮蔽版4はヒンジhを介して長辺側の側壁に連結してもよいし、別部材として内容器3の上面に嵌め込むようにしてもよい。
【００１４】
上記ボタン6は、遮蔽板4と一体的に成形されるものであり、外容器1に形成されたスリット2に適合してその外表面に露出する細長凸部（連結部）6aを介して遮蔽版4に接合され、この細長凸部6aの側面6b、6cを、直線状に延びたスリット（溝穴）2に接触、それに沿わせてスライドさせることで内容器3を遮蔽板4とともに外容器1において出し入れする。
【００１５】
本発明に従う携帯ケースは合成樹脂を材料として、従来知られている射出成形法などの手法を適用して製造されるものであり、外容器1は図２に示すように成形され、内容器3は図３に示すように上面が開放された箱状に成形される。このようにすることで、ボタン6の細長凸部6aがスリット2に嵌められ、ボタン6の裏面（下端面）と遮蔽板4の上面で外容器１に形成されたスリット2の両側部分が挟まれる。ここで、ボタン6の裏面は外容器の表面との間で例えば0.5〜0.7mm程度のクリアランスに保持される。
【００１６】
内容器3を外容器1に組み付けるに当たっては、図４に示すように遮蔽板4をヒンジhを基点にして区画凹所Ｍ側へと折り返し、その折り返し部を内容器3の段部3′（図３参照）に定着させたまま外容器1の先端開口1a側から内部通路1c内へと差し込む。
【００１７】
内容器3を内部通路1c内へ全て差し込むことにより、図１（b）に示す如く、外容器1の先端開口1a及び後端開口1bは、内容器3の側壁3d、3eによって同時に閉塞され、これが内容物の保管状態となる。遮蔽板4は内容器3を外容器1に挿通させる前に折り返す場合について説明したが、内容器3を外容器1に挿通させたのちに該遮蔽板4を折り返すようにしてもよい。
【００１８】
とくに、スリット2に沿って細長凸部6aが、好ましくはスリット2の幅以上、さらに好ましくはスリット2の幅の2倍以上の長さで接しながらスライドするためガタが少なく安定したスライドが可能である。また両側面6b、6cと遮蔽板4を連結している細長凸部6aが、左右対称の位置で同じ長さでスリット2に接しているのでスライドする力が内容器3の側壁に左右均等にかかり滑らかなスライドが可能である。
【００１９】
内容器3のスライド時にボタン6に加えられる押力およびスライド力は細長凸部6aと遮蔽板4を介して内容器3に伝達される。内容器3と外容器1との摩擦力に抗して内容器3が外容器1に対して相対的に移動することで、内容器3が外容器1から出し入れされることになる。
【００２０】
このとき、遮蔽板4が外容器1の内表面に、連結部である細長凸部6aの両側面6b、6cがスリット2の側壁面に各々接していることで、スライド時の細長凸部6aや内容器の外容器1に対する位置が規制され、ガタが生じるのが抑制される。また、スライドする方向に対し左右対称の位置で、略同じ長さにわたり細長凸部6aの両側面6b、6cとスリット2の側壁面とが接していることで、左右の摩擦力によりモーメント、すなわち回転力が生じることがないので内容器3の出し入れがよりスムーズに行なわれる。
【００２１】
さらに、細長凸部6aがボタン6の中心からずれた位置において接合していることで、内容器3をスライドさせるためにボタン6を押すと該ボタン6を外容器1の表面に押し付けることとなりその際に付加した力の全てが連結部である細長凸部6aを押すことには使われず、内容器3が遮蔽板4と反対の側の底面で外容器1の内表面に強く押されることがなく、内容器3の底面と外容器1の内表面の間に働く摩擦力が必要以上に強くならず、結果としてスムーズなスライドが可能となる。
【００２２】
ボタン6に指をあてがい、図１(a)の矢印の如く、外容器1の外表面に沿い外力を付加すると、内容器3は細長凸部6a、遮蔽板4を介して外容器1の内部通路1c内でスライドすることとなり、注出口5が飛び出したところで内容器3のスライドを停止することで内容物の取り出しが可能となる。
【００２３】
操作部としてボタン6を適用した場合について示したが、該操作部6は外容器1の外表面において操作ができるものであれば、図示のものには限定されない。また、操作部6は外容器1のサイドに設けてもよい。
【００２４】
また、図５に示すように外容器1のサイドにスリット７（あるいは貫通しない溝でもよい）を設け、内容器3の側壁3cにこのスリット７に適合する図６に示すような傾斜付きの突起ｓを設け、内容器3のスライドに際して突起Sをスリット７の行き止まり端7′に当接させることで内容器3の、外容器1からの抜けを防止することもできる。
【産業上の利用可能性】
【００２５】
滑らかで安定したスライド開閉が可能であるとともに、ヒンジを介した遮蔽板と内容器との一体化により構造の簡素化を実現し得る携帯ケースが提供できる。
【図面の簡単な説明】
【００２６】
【図１】本発明の実施の形態を示した外観斜視図であり、(a)は内容物の取り出し可能状態を示した図、（b）は内容物の収納状態（取り出し不能状態）を示した図である。
【図２】外容器の外観を示した図である。
【図３】内容器の外観を示した図である。
【図４】遮蔽板を折り返した状態を示した図である。
【図５】本発明に従う携帯ケースの他の例を示した図である。
【図６】図５の要部を拡大して示した図である。
【符号の説明】
【００２７】
1  外容器
1a先端開口
1b後端開口
1c内部通路
2  スリット
3  内容器
3a底壁
3b側壁
3c側壁
3d側壁
3e側壁
4  遮蔽板
5  排出口
6  ボタン（操作部）
6a細長凸部
6b、6c  側面
7  スリット
7′行き止まり端
Ｍ  区画凹所
ｓ  突起
【図１】
2007314194.tif 000003
【図２】
2007314194.tif 000004
【図３】
2007314194.tif 000005
【図４】
2007314194.tif 000006
【図５】
2007314194.tif 000007
【図６】
2007314194.tif 000008